(57)【要約】【課題】本発明の課題は、ケーブルをフェースプレートの切欠部に通すことにより、スイッチボックスの美観を保ちながら、スイッチボックスからの引き通し配線を簡易に実現できる通信アウトレットを提供することにある。【解決手段】本発明は、建物内に設けられ、配管を通して外部と配線されるスイッチボックス２２と、前記スイッチボックス２２の開口部を覆うように設けられ、光ファイバケーブル２７を引き通して配線される切欠部２８を有するフェースプレート２６とを具備することを特徴とするものである。【選択図】      図２
2005204434.tif 000002
【特許請求の範囲】
【請求項１】
建物内に設けられ、配管を通して外部と配線されるスイッチボックスと、
前記スイッチボックスの開口部を覆うように設けられ、ケーブルを引き通して配線される切欠部を有するフェースプレートと
を具備することを特徴とする通信アウトレット。
【請求項２】
フェースプレート本体の一部に設けられ、ケーブルを引き通せる大きさの切欠部を加工する部分の周辺部の肉厚を薄く形成する切欠部加工部と、
前記切欠部加工部の周辺部のフェースプレート本体の肉厚を厚く形成する強度補強部と
を具備することを特徴とする通信アウトレットのフェースプレート。
【請求項３】
フェースプレート本体に設けられ、通信アウトレットのコンタクト対応ユニット数に合わせた導入口を加工する部分の周辺部の肉厚を薄く形成した導入口加工部を設けたことを特徴とする請求項２に記載の通信アウトレットのフェースプレート。
【発明の詳細な説明】
【技術分野】
【０００１】
本発明は、建物内の例えばパソコン、電話機等の通信機器に接続された光ファイバケーブル等の通信線を引き通し配線する通信アウトレット、および通信アウトレットを構成するフェースプレートに関するものである。
【背景技術】
【０００２】
従来、埋め込み型の通信アウトレットでは電源線や同軸ケーブル、電話線、ＵＴＰケーブルなどが成端され、必要なときにコンセントにコネクタを接続していつでも利用できるようになっている。そのような中、昨今のブロードバンド環境の普及によるＦＴＴＨの普及とともに光ファイバケーブルを屋内に引き込むことが一般化してきた。
【０００３】
そのため、新たに光ファイバケーブルを通信アウトレットの部分で成端する必要が発生している。しかし光ファイバケーブルの曲率半径は、現在一般的なものでＲ＝３０ｍｍであり、通信アウトレット後部のスイッチボックスでの余長収納や接続が難しく、現時点でさまざまな提案が行われているものの普及には至っていない。そこで現在は通信アウトレット部での成端は行わず、通信アウトレット部分に穴の開いたコンセント対応ユニットを増設し、光ファイバケーブルをコンセント対応ユニットの穴を通して部屋内に引き込みＯＮＵで成端することによって対応している。
【０００４】
【特許文献１】特許第２７９３１８３号公報
【特許文献２】特開昭６３−２５７７０７号公報
【特許文献３】特開平６−１６０６６９号公報
【発明の開示】
【発明が解決しようとする課題】
【０００５】
しかし、通信アウトレットは従来、ケーブルが成端されることを前提としており、ケーブルを切らずに引き通す施工をした場合、施工性が著しく悪くなる。例えば光ファイバケーブルを引き通すことを考えた場合、まずフェースプレートを外し、飾り枠を外し、飾り枠用取付枠を外し、ユニット固定用取付枠を外し、ユニット固定用取付枠に通線穴の開いたコンタクト対応ユニットを固定する。その後、光ファイバケーブルをコンタクト対応ユニットの通線穴に通し、ユニット固定用取付枠を通し、飾り枠用取付枠を通し、飾り枠を通し、さらにフェースプレートを予め通した上で、スイッチボックスにコンタクト対応ユニットを固定したユニット固定用取付枠、飾り枠を取り付けた飾り枠用取付枠、およびフェースプレートを固定するといった非常に煩雑な作業となる。
【０００６】
本発明は上記の事情に鑑みてなされたもので、ケーブルをフェースプレートの切欠部に通すことにより、スイッチボックスの美観を保ちながら、スイッチボックスからの引き通し配線を簡易に実現できる通信アウトレット及びそのフェースプレートを提供することを目的とする。
【課題を解決するための手段】
【０００７】
上記目的を達成するために本発明の通信アウトレットは、建物内に設けられ、配管を通して外部と配線されるスイッチボックスと、前記スイッチボックスの開口部を覆うように設けられ、ケーブルを引き通して配線される切欠部を有するフェースプレートとを具備することを特徴とするものである。
【０００８】
また本発明の通信アウトレットのフェースプレートは、フェースプレート本体の一部に設けられ、ケーブルを引き通せる大きさの切欠部を加工する部分の周辺部の肉厚を薄く形成する切欠部加工部と、前記切欠部加工部の周辺部のフェースプレート本体の肉厚を厚く形成する強度補強部とを具備することを特徴とするものである。
【０００９】
また本発明は、前記通信アウトレットのフェースプレートにおいて、フェースプレート本体に設けられ、通信アウトレットのコンタクト対応ユニット数に合わせた導入口を加工する部分の周辺部の肉厚を薄く形成した導入口加工部を設けたことを特徴とするものである。
【発明の効果】
【００１０】
本発明は、非常に簡易に通信アウトレット部分でケーブルを引き通すことが可能であり、フェースプレートのコンタクト対応ユニットに合わせた導入口内にケーブルを長距離通すような施工上の負担を軽減することができる。
【発明を実施するための最良の形態】
【００１１】
以下図面を参照して本発明の実施の形態例を詳細に説明する。
図１は本発明の一実施形態例に係る通信アウトレットを示す分解斜視図である。図１ではスイッチボックスを省略している。すなわち、通信アウトレットは、図示しない建物内の壁内に埋め込まれるスイッチボックスに配線用配管が設けられ、この配線用配管内にケーブルを通して外部から配線される。前記スイッチボックス内にはモジュラジャック等のコンタクトに対応したコンタクト対応ユニット１１が設けられ、このコンタクト対応ユニット１１にはケーブルを通す外部に開口した通線穴１２が設けられる。
【００１２】
前記コンタクト対応ユニット１１はユニット固定用取付枠１３に固定されて後、ユニット固定用取付枠１３は前記スイッチボックスの開口部に取り付けられる。次に、飾り枠用取付枠１４は前記スイッチボックスの開口部に取り付けられる。前記飾り枠用取付枠１４には飾り枠１５が取り付けられ、前記飾り枠１５にはフェースプレート１６が取り付けられる。
【００１３】
前記フェースプレート１６はプラスチック等より構成され、ケーブルを引き通せる大きさの切欠部を加工する部分の周辺部には溝等の肉厚を薄く形成した切欠部加工部１７がフェースプレート本体１８の一部に設けられる。前記切欠部加工部１７の周辺部にはフェースプレート本体１８の裏面に凸部を形成する等の肉厚を厚く形成した強度補強部が設けられる。また前記フェースプレート１６は、通信アウトレットのコンタクト対応ユニット数に合わせた例えば３個の導入口を加工する部分のそれぞれ対応した周辺部には溝等の肉厚を薄く形成した導入口加工部１９がフェースプレート本体１８に設けられる。
【００１４】
前記切欠部加工部１７は後からニッパ等の工具で容易に切欠部を作成することができる。また前記導入口加工部１９はコンタクト対応ユニット数に合わせて導入口を作成できるようにノッチ等が入れてあるため、通信アウトレットの構成によらず、自由に対応できるようにコンタクト対応ユニットの導入口を容易に作成することができる。
【００１５】
図２は本発明の他の実施形態例に係る通信アウトレットの使用例を示す分解斜視図である。すなわち、配線用配管２１を有するスイッチボックス２２の開口部にはコンタクト対応ユニット２３を固定したユニット固定用取付枠２４が取り付けられる。前記ユニット固定用取付枠２４には飾り枠が固定された飾り枠用取付枠２５が取り付けられ、前記飾り枠にはフェースプレート２６が取り付けられる。しかして、フェースプレート２６を外し、光ファイバケーブル２７をスイッチボックス２２に引き通しＯＮＵ等で成端した後、フェースプレート２６の切欠部加工部を切り欠いて切欠部２８を形成し、この切欠部２８に光ファイバケーブル２７を引き通した後、フェースプレート２６をスイッチボックス２２に固定することで通信アウトレットを作成することができる。
【００１６】
なお、、新規にフェースプレート２６を設置する場合には、フェースプレート２６を外した状態において、既設通信アウトレットのコンタクト対応ユニット２３に合わせて、導入口加工部を加工して導入口２９を作成し、光ファイバケーブル２７をスイッチボックス２２に引き通しＯＮＵ等で成端した後、フェースプレート２６の切欠部加工部を切り欠いて切欠部２８を形成し、この切欠部２８に光ファイバケーブル２７を引き通した後、フェースプレート２６をスイッチボックス２２に固定することで通信アウトレットを作成することができる。
【００１７】
以上のように、フェースプレートを外し、加工し、再度設置するだけで通信アウトレット部での引き通しを実現することができ、施工上の負担を大幅に軽減することができる。また既設の通信アウトレットでも本実施形態例のフェースプレートに変更するだけで通信アウトレット部での引き通しを容易に実現することができる。
【００１８】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００１９】
【図１】本発明の一実施形態例に係る通信アウトレットを示す分解斜視図である。
【図２】本発明の他の実施形態例に係る通信アウトレットの使用例を示す分解斜視図である。
【符号の説明】
【００２０】
１１    コンタクト対応ユニット
１２    通線穴
１３    ユニット固定用取付枠
１４    飾り枠用取付枠
１５    飾り枠
１６    フェースプレート
１７    切欠部加工部
１９    導入口加工部
２２    スイッチボックス
２６    フェースプレート
２７    光ファイバケーブル
２８    切欠部
【図１】
2005204434.tif 000003
【図２】
2005204434.tif 000004